(57)【要約】【課題】画像読取装置で読み取った画像をプレビュー表示する場合に、ユーザの操作性の向上を図ったホスト装置及び画像読取転送ドライバプログラムを提供する。【解決手段】  画像読取装置１を接続し、該画像読取装置１で読み取った画像をプレビュー表示する機能を備えたホスト装置２において、サムネール表示モード若しくは一画像表示モードのいずれか選択操作を受付け、受付けたいずれかの表示モードを実行する制御手段（制御部１）を備え、サムネール表示モードでは、画像読取装置１に読み取らせた複数の読取画像を一画面に一緒に表示し、一画像表示モードでは、画像読取装置１に読み取らせた読取画像を一画面に単一で個別に表示することを特徴とする。【選択図】図３
2006140709.tif 000002
【特許請求の範囲】
【請求項１】
画像読取装置を接続し、該画像読取装置で読み取った画像をプレビュー表示する機能を備えたホスト装置において、
サムネール表示モード若しくは一画像表示モードのいずれか選択操作を受付け、受付けたいずれかの表示モードを実行する制御手段を備え、
上記サムネール表示モードでは、上記画像読取装置に読み取らせた複数の読取画像を一画面に一緒に表示し、上記一画像表示モードでは、上記画像読取装置に読み取らせた読取画像を一画面に単一で個別に表示するようにしているホスト装置。
【請求項２】
ホスト装置に接続された画像読取装置を制御し、読取画像をプレビュー表示する画像読取転送ドライバプログラムにおいて、
サムネール表示モード若しくは一画像表示モードのいずれかの選択を受付ける第１のステップと、
受け付けたいずれかの表示モードを実行する第２のステップとよりなり、
上記サムネール表示モードでは、上記画像読取装置に読み取らせた複数の読取画像を一画面に一緒に表示し、上記一画像表示モードでは、上記画像読取装置に読み取らせた読取画像を一画面に単一で個別に表示することを特徴とする画像読取転送ドライバプログラム。
【請求項３】
請求項２において、
第２のステップは、第１のステップでサムネール表示モードが選択されていれば、一画像表示モードとは異なる所定の画像読取指令を上記画像読取装置に送信することを特徴とする画像表示転送ドライバプログラム。
【発明の詳細な説明】
【技術分野】
【０００１】
本発明は、ホスト装置及びホスト装置に格納される画像読取転送ドライバプログラムに関する。
【背景技術】
【０００２】
従来より、パーソナルコンピュータ等のホスト装置に接続される画像読取装置で読取った画像データを、ホスト装置に転送させ取り込ませる技術を実現するために、ホスト装置には画像読取転送ドライバプログラムが格納されており、アプリケーションプログラムにより起動操作される。
このような画像読取転送ドライバプログラムは、画像データをホスト装置に取り込む（以下、本読み取りという。）前に、所望する画像を得るために、本読み取りしたい画像原稿を仮読み取りし、画像イメージをホスト装置の画面上に表示させ、読取画像の向きや解像度調節、画像読取エリア指定等を操作可能とするプレビュー表示機能を備えている。
次の特許文献には、上述のような画像読取ドライバプログラムが格納された画像読取システムにおけるプレビュー表示機能に関する技術が記載されている。
【特許文献１】特開２００２−３３０２４９号公報
【発明の開示】
【発明が解決しようとする課題】
【０００３】
しかしながら、上記及び従来の技術では、複数の画像を仮読み取りし、プレビュー表示で事前に確認及び設定したい場合には、以下の問題があった。
例えば、自動送り装置に複数の画像原稿をセットしても、仮読み取りの際は、画像読取装置は一原稿しか読み取らず、一原稿毎にプレビュー表示させてから本読み取りするという作業が生じていた。
また上記のタイプとは違って、自動送り装置に複数の画像原稿をセットすれば、セットされたすべての原稿を仮読み取りするタイプのものでも、プレビュー表示させたいイメージを確認するには１画像毎に順に表示操作することを要し、いずれにしてもユーザにとっては手間な作業であった。
さらに、従来よりサムネール表示機能を備えたアプリケーションプログラムは知られているが、画像読取転送ドライバプログラムにサムネール表示機能を備えたものなかった。
【０００４】
本発明は、上記問題点に鑑みなされたものであり、画像読取装置で読み取った画像をプレビュー表示する場合に、ユーザの操作性の向上を図ったホスト装置及び画像読取転送ドライバプログラムを提供することを課題としている。
【課題を解決するための手段】
【０００５】
上記目的を達成するために提案される請求項１のホスト装置は、画像読取装置を接続し、該画像読取装置で読み取った画像をプレビュー表示する機能を備えたホスト装置において、  サムネール表示モード若しくは一画像表示モードのいずれかの選択操作を受付け、受付けたいずれかの表示モードを実行する制御手段を備え、上記サムネール表示モードでは、上記画像読取装置に読み取らせた複数の読取画像を一画面に一緒に表示し、上記一画像表示モードでは、上記画像読取装置に読み取らせた読取画像を一画面に単一で個別に表示することを特徴とする。
【０００６】
請求項２に記載の画像読取転送ドライバプログラムは、ホスト装置に接続された画像読取装置を制御し、読取画像をプレビュー表示する画像読取転送ドライバプログラムにおいて、サムネール表示モード若しくは一画像表示モードのいずれかの選択を受付ける第１のステップと、受け付けたいずれかの表示モードを実行する第２のステップとよりなり、上記サムネール表示モードでは、上記画像読取装置に読み取らせた複数の読取画像を一画面に一緒に表示し、上記一画像表示モードでは、上記画像読取装置に読み取らせた読取画像を一画面に単一で個別に表示することを特徴とする。
【０００７】
請求項３に記載の画像読取転送ドライバプログラムは、請求項２において、第２のステップは、第１のステップでサムネール表示モードが選択されていれば、一画像表示モードとは異なる所定の画像読取指令を上記画像読取装置に送信することを特徴とする。
【発明の効果】
【０００８】
本発明の請求項１〜３に記載のホスト装置及び画像読取転送ドライバプログラムによれば、読取画像をプレビュー表示する場合において、仮読み取りした複数の読取画像を一画面に一緒に表示するサムネール表示モードと、読取画像を一画面に単一で個別に表示する一画像表示モードとをユーザ側で選択して所望のモードでプレビュー表示させることができるので、読み取りたい画像に応じて適切なモードでプレビュー表示させることができる。
また複数の画像を読み取る場合には、サムネール表示モードを備えているので、一画面で複数の画像イメージを確認することができるので、ユーザの操作作業の手間を省き、操作性を向上させることができる。
さらに、アプリケーションプログラムがサムネール表示機能を備えていなくても、仮読み取りした画像をサムネール表示させることができる。
【発明を実施するための最良の形態】
【０００９】
以下に、本発明の実施の形態について説明する。なお、画像読取転送ドライバプログラムとしては、例えば、ＴＷＡＩＮドライバプログラムを適用することができる。
またここでは、プレビュー表示をするために低解像度で行なう画像読み取りを「仮読み取り」といい、読取パラメータの設定に従ってホスト装置へ画像を取り込むための画像読み取りを「本読み取り」という。
【実施例１】
【００１０】
図１は、ホスト装置と画像読取装置とを組み合わせた画像読取システムの概略構成を示したブロック図である。
ホスト装置２は、例えばパソコン等であり、制御部２０、ＣＲＴ、液晶ディスプレイ等で構成される表示操作部２１、ＲＡＭ２２、各種プログラムが格納されるハードディスク２４、通信インタフェース２５を少なくとも備えている。
【００１１】
一方の画像読取装置１は、例えばスキャナ、ファクシミリ装置、ファクシミリ複合機等、少なくとも画像読取機能を有した周辺機器であり、図では、ファクシミリ複合機を想定して、制御部１０、電話回線Ｌを接続付加したＮＣＵ１１、モデム１２、画像読取部１３、ＲＯＭ１４、種々の処理のためにデータを一時的に記憶するＲＡＭ１５、プリンタ１６、表示操作部１７、通信インタフェース１８を備えた例を示している。
ホスト装置２は、ＬＡＮ等のケーブルＣを通じて、画像読取装置１に接続されており、この例では、ケーブルＣによって有線接続されているが、通信インターフェース１８、２５をワイヤレスインターフェースで構成し、ワイヤレス接続されていてもよい。
【００１２】
ホスト装置２には、画像読取転送、解像度調節、画像読取エリア指定等の指示を受付ける画像読取転送ドライバプログラム（不図示）が格納されており、上位アプリケーションプログラム（不図示）によって起動されると、操作入力インターフェースが起動され、この機能によってホスト装置２の表示操作部２１には操作入力画面が表示されるので、ユーザは、この操作入力画面に対して選択操作をすることにより、画像読取装置２による画像読取処理と、画像転送を指示することが出来、ホスト装置２が画像読取装置１に対して画像読取指令を行うと、画像読取装置１は、画像読取部１３を作動させて画像を読み取り、読取った画像は、ホスト装置２に転送され、ホスト装置２に取り込まれることになる。
【００１３】
本発明のホスト装置２は、読取画像を本読み取りする前に、所望する画像を得るために、読取画像を仮読み取りし、低解像度のイメージ画像をホスト装置２の画面上に表示させ、読取画像の向きや解像度調節、画像読取エリア指定等を行なうプレビュー表示機能を備えており、サムネール表示モード若しくは一画像表示モードのいずれかの選択操作を受付け、受付けたいずれかの表示モードを実行する制御手段（制御部２０）を有していることを特徴とし、ホスト装置２のハードディスク２４には、サムネール表示モード若しくは一画像表示モードのいずれかの選択操作を受付け、受付けたいずれかの表示モードを実行する画像読取転送ドライバプログラムが格納されていることを特徴とする。
【００１４】
ここでサムネール表示モードとは、画像読取装置１に読み取らせた複数の読取画像を一画面に一緒に表示させるモードをいい、一画像表示モードとは、画像読取装置１に読み取らせた読取画像を一画面に単一で個別に表示させるモードをいう。
【００１５】
図２は、本発明の画像読取転送ドライバプログラムを起動させた時に、ホスト装置の表示操作部に表示される操作入力画面の一例である。
上位アプリケーションプログラムによって、画像読取転送ドライバプログラムが起動すると、図２に示すような操作入力画面Ａが表示される。ユーザは、この操作入力画面Ａに対して選択操作でき、画像を本読み取りする前にプレビュー表示させたい場合は、図２に示されるプレビューモードＡ１の内、「サムネール表示Ａ２１」若しくは「一画像表示Ａ２２」のいずれかのチェックボックスＡ２をクリックし、読取ボタンＳ１を操作すれば、仮読み取りが開始され所望するプレビューモードで読取画像のイメージを表示させることができる。
【００１６】
操作入力画面Ａには、プレビューモード設定Ａ１ができる他、読取枚数の設定Ａ３、読取開始モードの設定Ａ４、解像度の設定Ａ５、原稿サイズの設定Ａ６、画質の設定Ａ７等の画像読取に関する種々の設定機能を備えており、Ｓ１は読み取り開始ボタン、Ｓ２はキャンセルボタンを示している。
【００１７】
なお、上述のようにプレビュー表示をさせずに、本読み取りを行いたい場合は、所望する読取パラメータを設定し、プレビューモードＡ１のチェックボックスＡ２の設定をはずし、読取ボタンＳ１を操作すれば、本読み取りを行なうことができる。
【００１８】
次いで図３は、プレビュー表示を設定して仮読み取りした場合の操作入力画面を示している。
図３（ａ）はサムネール表示モードでプレビューされた操作入力画面、図３（ｂ）は一画像表示モードでプレビューされた操作入力画面である。なお、表示態様はこの例に限られるものではなく、またここでは説明のため読取画像の向きや解像度調節、画像読取エリア指定等を設定する各種操作キーの表示は省略する。
【００１９】
サムネール表示モードを設定し、仮読み取りをした場合は、図３（ａ）に示すように、読み取った複数の画像イメージが操作入力画面Ａの一画面上に一緒に表示され、この画面上で読取画像の向きや解像度調節、画像読取エリア指定等を行なうことができる。
【００２０】
これによれば、一画面で複数の画像イメージを確認することができるので、ユーザの操作作業の手間を省き、操作性を向上させることができる。またアプリケーションプログラムがサムネール表示機能を備えていなくても、仮読み取りした画像をサムネール表示させることができる。
【００２１】
なお、図に示すようにサムネール表示させた後に、例えば図３（ａ）に示す「文書１」を指定すると指定した文書（画像）が一画面に拡大表示され画像毎に読取画像の向きや解像度調節、画像読取エリア指定等を行なう構成としてもよい。
【００２２】
次いで、一画像表示モードを設定し、仮読み取りをした場合は、図３（ｂ）に示すように、一画面上に一画像イメージが操作入力画面Ａに表示され、この画面上で読取画像の向きや解像度調節、画像読取エリア指定等を行なうことができる。複数の画像を仮読み取りした場合は、ページ態様で仮読み取りした画像イメージをプレビュー表示させることができ、操作キーＡ８を操作すれば順次、別の画像イメージが単一で個別に一画面に表示される。
【００２３】
図４は本発明の基本動作のフローチャートであり、ホスト装置の基本動作（１００〜１１０）と連動して駆動制御される画像読取装置の基本動作（２００〜２０２）とを示している。
まず、ホスト装置２にインストールされているアプリケーションプログラムが起動され（１００）、これにより画像読取転送ドライバプログラムが起動されると（１０１）、操作入力画面Ａが表示される（１０２）。この操作入力画面Ａでは、各種モード設定や読取パラメータの設定ができ、ここでプレビューモードＡ１のいずれかが設定されると画像読取転送ドライバプログラムは画像読取装置１に対して仮読取コマンド（画像読取指令）を送信する（１０５、１０８）。
【００２４】
ここでホスト装置２から画像読取装置１へ送出される仮読取コマンドは、サムネール表示モードが選択されていれば、一画像表示モードとは異なる所定の仮読取コマンドが画像読取装置１へ送信され、仮読み取りコマンドを受け取った画像読取装置１は、仮読み取りを開始し（２００）、順次画像データをホスト装置２に転送する（２０１）。
画像データを受信したホスト装置２は、サムネール表示モードに設定されて仮読み取りコマンドを送信した場合は、サムネール表示を実行し（１０７）、一画像表示モードに設定されて仮読取コマンドを送信した場合は、一画像表示を実行する（１１０）。
【００２５】
ここで上記仮読取コマンドは、サムネール表示モードが選択されていれば、一画像表示モードとは異なる所定の画像読取指令を上記画像読取装置に送信することを特徴とする。
すなわち、一画像表示モードでの仮読取コマンドが、解像度をユーザ等の指定により可変指定した読取指令なのに対して、サムネール表示モードでは、サムネール表示モード専用の仮読取コマンドが送信され、所定の解像度を指定するような読取指令とは異なるものとする。これによれば、サムネール表示される場合と一画像表示される場合とでは、読み取られた画像イメージの間引き状態が異なり、サムネール表示は一画像表示よりも低解像度で読み取られるので、画像読取装置１の読取速度が一画像表示モードより速く、画像データの容量を軽減できるので、画像読取装置１とホスト装置２間の伝送負担も少なくできる。なお、サムネール表示モードの仮読取コマンドは、上述のように一画面表示モードとは別形態とする構成に限られず、解像度の指定が異なる点が相違するが、一画面表示モードと同じ仮読取コマンドとしてもよい。
【図面の簡単な説明】
【００２６】
【図１】ホスト装置と画像読取装置とを組み合わせた画像読取システムの構成を示したブロック図である。
【図２】ホスト装置の表示操作部に表示される操作入力画面の一例を示す図である。
【図３】（ａ）は、サムネール表示モードでプレビューされた操作入力画面、（ｂ）は、一画像表示モードでプレビューされた操作入力画面を示す図である。
【図４】本発明の基本動作を示すフローチャートである。
【符号の説明】
【００２７】
１  画像読取装置
２  ホスト装置
Ａ  操作入力画面
【図１】
2006140709.tif 000003
【図２】
2006140709.tif 000004
【図３】
2006140709.tif 000005
【図４】
2006140709.tif 000006